(57)【要約】【課題】コクを呈する化粧料若しくはその原料を客観的且つ効率よく評価又は探索する方法を提供する。【解決手段】以下の工程（Ａ）〜（Ｃ）を含む、コクを呈する化粧料若しくはその原料の評価又は探索方法。  （Ａ）ヒトの皮膚に試験試料を施与する工程  （Ｂ）前記ヒトから採取された生体試料中のオキシトシン量を測定する工程  （Ｃ）前記オキシトシン量を基準値と比較し、オキシトシン量を増加させる試験試料を、コクを呈する化粧料若しくはその原料として評価又は選択する工程【選択図】なし【特許請求の範囲】
【請求項１】
以下の工程（Ａ）〜（Ｃ）を含む、コクを呈する化粧料若しくはその原料の評価又は探索方法。
（Ａ）ヒトの皮膚に試験試料を施与する工程
（Ｂ）前記ヒトから採取された生体試料中のオキシトシン量を測定する工程
（Ｃ）前記オキシトシン量を基準値と比較し、オキシトシン量を増加させる試験試料を、コクを呈する化粧料若しくはその原料として評価又は選択する工程
【請求項２】
生体試料が血液、血清、血漿、尿又は唾液である請求項１記載の方法。
【請求項３】
以下の工程（Ｄ）〜（Ｆ）を含む、生体内オキシトシンを上昇させる化粧料又はその原料の評価又は探索方法。
（Ｄ）ヒトの皮膚に試験試料を施与する工程
（Ｅ）前記試験試料施与の際に感じられるコクを評価する工程
（Ｆ）前記評価結果に基づき、コクを呈する試験試料を、生体内オキシトシンを上昇させる化粧料若しくはその原料として評価又は選択する工程
【請求項４】
化粧料が、クリーム、ローション、乳液及びエッセンスから選ばれる請求項１〜３のいずれか１項記載の方法。
【発明の詳細な説明】
【技術分野】
【０００１】
本発明は、使用時にコクを呈する化粧料若しくはその原料の評価又は探索方法に関する。
【背景技術】
【０００２】
近年、化粧料は、塗布時の使用感が重要な要求特性であり、近年、塗布時にある程度の重さが感じられ、濃度の高い感触が得られるような使用感、所謂「コク」のある使用感（コク感）が好まれる傾向にある。そのようなコクを呈する化粧料を調製するために、合成高分子化合物や増粘性多糖類等の増粘剤、高級アルコール、有機粉末等を配合するような処方が考案されている（例えば、特許文献１、２、３）。しかしながら、「コク感」のような肌に塗布する際の感触を客観的に評価するには専門家による判断が必要であり、そのような専門家を育成することは容易なことではない。また非専門家で感触を客観的に判断するためには多くの人数が必要であり、容易なことではない。
【０００３】
一方、オキシトシン（Ｏｘｙｔｏｃｉｎ）は、９個のアミノ酸から構成されるペプチドホルモンで、主に脳の視床下部で合成されている。オキシトシンは、授乳中の母親で産生が増大し、射乳に関与しているが、近年、女性だけでなく男性でも産生されることが明らかにされ、また、動物を用いた解析により、生物間の愛着／社会性形成に関与することが報告されている（非特許文献１）。
【０００４】
また、オキシトシン産生促進物質には、抗不安作用やシワ及び皮膚柔軟性の改善作用があること（特許文献４）、オキシトシン活性物質が、ケラチノサイトにおけるＴＧＦ−β１の産生を増大し、熱傷等の皮膚傷害に有効であること、また表皮におけるバリア形成を促進すること等（特許文献５）が報告されている。
【０００５】
しかしながら、生体中のオキシトシン量と化粧料の使用感との関連性は明らかにされていない。
【先行技術文献】
【特許文献】
【０００６】
【特許文献１】特開２０１３−９５７３７号公報
【特許文献２】特開２００６−１６０６１９号公報
【特許文献３】特開２０１４−２０５６２８号公報
【特許文献４】特開２０１１−９８８９８号公報
【特許文献５】特表２００２−５２５３３７号公報
【非特許文献】
【０００７】
【非特許文献１】Lieberwirth and Wang, CURRENT OPINION IN NEUROBIOLOGY, doi: 10.1016/j.conb.2016.05.006, 2016
【発明の概要】
【発明が解決しようとする課題】
【０００８】
本発明は、コクを呈する化粧料若しくはその原料を客観的且つ効率よく評価又は探索する方法を提供することに関する。
【課題を解決するための手段】
【０００９】
本発明者らは、コクを呈する化粧料を一定期間塗布した場合、生体内のオキシトシン量が上昇することを見出した。したがって、当該オキシトシン量を指標として、コクを呈する化粧料若しくはその原料の評価又は探索が可能であり、またコクを指標として、生体内オキシトシンを上昇させる化粧料又はその原料の評価又は探索が可能であると考えられる。
【００１０】
すなわち、本発明は、以下の１）〜２）に係るものである。
１）以下の工程（Ａ）〜（Ｃ）を含む、コクを呈する化粧料若しくはその原料の評価又は探索方法。
（Ａ）ヒトの皮膚に試験試料を施与する工程
（Ｂ）前記ヒトから採取された生体試料中のオキシトシン量を測定する工程
（Ｃ）前記オキシトシン量を基準値と比較し、オキシトシン量を増加させる試験試料を、コクを呈する化粧料若しくはその原料として評価又は選択する工程
２）以下の工程（Ｄ）〜（Ｆ）を含む、生体内オキシトシンを上昇させる化粧料又はその原料の評価又は探索方法。
（Ｄ）ヒトの皮膚に試験試料を施与する工程
（Ｅ）前記試験試料施与の際に感じられるコクを評価する工程
（Ｆ）前記評価結果に基づき、コクを呈する試験試料を、生体内オキシトシンを上昇させる化粧料若しくはその原料として評価又は選択する工程
【発明の効果】
【００１１】
本発明によれば、コクを呈する化粧料若しくはその原料を客観的且つ効率よく評価又は探索することができ、また生体内オキシトシンを上昇させる化粧料又はその原料を評価又は探索できる。
【図面の簡単な説明】
【００１２】
【図１】コクを呈する化粧料の継続塗布による唾液中オキシトシン量の変化を示すグラフ。
【発明を実施するための形態】
【００１３】
本発明において、「コク」とは、化粧品の使用時に関わる官能評価用語で、化粧料を肌に塗布した時からなじませるまでの濃厚で厚みや重さのある感触を指し、濃厚感、高級感、リッチ感等と表現される場合もある。
【００１４】
本発明の「コクを呈する化粧料」としては、例えば、乳液、クリーム、ローション、ジェル、エッセンス等の基礎化粧料、口紅、ファンデーション、リキッドファンデーション、メイクアッププレスパウダー等のメイクアップ化粧料、洗顔料等の清浄用化粧料等が挙げられる。このうち、基礎化粧料やメイクアップ化粧料が好ましく、乳液、クリーム、ローション、ジェル、エッセンスがより好ましい。
また、その形態は特に限定されず、油中水型乳化組成物、水中油型乳化組成物、水性組成物、ゲル状組成物等のいずれでもよい。
【００１５】
「コクを呈する化粧料の原料」とは、コクを呈する化粧料を製造するための原料であって、好ましくは、コク感を付与するために化粧料に配合される成分（例えば、合成高分子化合物や増粘性多糖類等の増粘剤、高級アルコール等）やこれらを含む組成物が挙げられる。
【００１６】
後記実施例に示すとおり、女性３３名を対象に、専門家によってコクがあると評価されたクリームを、朝・夜の１日２回、洗顔後の全顔へ４週間継続して塗布し、唾液中オキシトシン量の変化を測定したところ、オキシトシン量の有意な上昇が認められた。この結果は、生体中のオキシトシン量を指標として、コクを呈する化粧料若しくはその原料の評価又は探索が可能であることを示すものである。またこの結果は、コクを指標として、生体内オキシトシンを上昇させる化粧料又はその原料が評価又は探索できることを示すものと考えられる。
【００１７】
本発明のコクを呈する化粧料若しくはその原料の評価又は探索方法は、以下の工程（Ａ）〜（Ｃ）により行われる。
（Ａ）ヒトの皮膚に試験試料を施与する工程
（Ｂ）前記ヒトから採取された生体試料中のオキシトシン量を測定する工程
（Ｃ）前記オキシトシン量を基準値と比較し、オキシトシン量を増加させる試験試料を、コクを呈する化粧料若しくはその原料として評価又は選択する工程
【００１８】
工程（Ａ）における「ヒト」としては、その性別や年齢は限定されないが、健常成人であるのが好ましい。
【００１９】
また、上記ヒトの皮膚に塗布される試験試料としては、化粧料若しくはその原料として使用可能な物質又は組成物であれば、特に制限されないが、好ましくは、ヒトの肌に施与した際にコクを呈することが期待される化粧料若しくはその原料である。
【００２０】
試験試料の施与形態は、皮膚への塗布であり、施与期間及び施与回数も適宜設定することができるが、好ましくは、１日１回〜３回、好ましくは１日２回で、使用直後〜５週間、好ましくは、１〜４週間、より好ましくは２〜４週間の継続使用である。また試験試料塗布後は、最後の刺激から少なくとも２時間空けて採取するのが好ましい。
【００２１】
本発明において、生体試料は、被験者から採取された試料であり、具体的には、血液（血漿、血清、血球（赤血球、白血球）を含む）、尿、唾液、リンパ液などが挙げられ、好ましくは唾液、血液（血漿、血清、血球を含む）、尿が挙げられ、より好ましくは唾液である。
【００２２】
工程（Ｂ）において、生体試料中のオキシトシン量が測定される。
オキシトシンは、９個のアミノ酸残基からなるペプチドホルモンである。オキシトシンは、大脳の視床下部の室傍核や視索上核に存在する大細胞性神経細胞で合成され、脳下垂体後葉から血中に放出されることが知られる。
オキシトシン量の測定は、液体クロマトグラフ（ＨＰＬＣ）、液体クロマトグラフ質量分析計（ＬＣ−ＭＳ）、液体クロマトグラフタンデム型質量分析計（ＬＣ−ＭＳ／ＭＳ）、ガスクロマトグラフ質量分析計（ＧＣ−ＭＳ）、あるいは酵素免疫測定法（ＥＬＩＳＡ）などの免疫学的手法により可能である。これらの測定条件は公知であり、常法に従い容易に定量できる。
前記ＥＬＩＳＡ法は、例えばＯｘｙｔｏｃｉｎ  ＥＬＩＳＡ  ｋｉｔ（Ｅｎｚｏ）を使用して実施することができる。
【００２３】
次いで、オキシトシン量が基準値と比較され、オキシトシン量を増加させる試験試料が、コクを呈する化粧料若しくはその原料として評価又は選択される（工程（Ｃ））。
すなわち、オキシトシン量（例えば生体試料中のタンパク質当たりのオキシトシン量）を基準値と比較することにより、オキシトシン量を増加させる試験試料が同定される。基準値としては、コクの程度が異なる試験試料を施与（例えば、コクの程度がより低い試験試料施与群、プラセボ群（コクを呈さない試験試料施与群））した場合に測定されるオキシトシン量や、試験試料施与前に測定されるオキシトシン量の他、試験試料を施与しない個体における所定のオキシトシン量等が挙げられる。
具体的には、コクの程度がより高い試験試料施与群とコクの程度がより低い試験試料施与群との間；試験試料施与群とプラセボ群との間；又は試験試料施与前後で、オキシトシン量を比較し、試験試料の施与又はコクの程度がより高い試験試料の施与によりオキシトシン量が上昇する場合にその増加量や増加率に基づいて、又は所定のオキシトシン量を超える場合にその値に基づいて当該試験試料を、当該オキシトシン量を増加させる試料として同定することができる。
例えば、試験試料施与群におけるオキシトシン量が、対照群と比較して２０％以上、好ましくは５０％以上に増加していれば、当該試験試料を、オキシトシン量を増加させる試料として同定することができる。また、試験試料施与群におけるオキシトシン量が、所定のオキシトシン量（例えば、単位タンパク量当たり５ｐｇ）を超える場合に、当該試験試料を、オキシトシン量を増加させる試料として同定することができる。
そして、同定されたオキシトシン量を増加させる試験試料は、コクを呈する化粧料若しくはその原料として評価又は選択することができる。
【００２４】
このようにして選択されたコクを呈する化粧料は、肌への塗布時からなじませるまでに、濃厚で厚みや重さのある感触を与え、高級感、リッチ感を醸し出す上質な化粧料となり得る。また、選択された化粧料原料は、当該コクを呈する化粧料の製造において、コク感を付与するための原料として利用できる。
【００２５】
また、コクを指標とした生体内オキシトシンを上昇させる化粧料又はその原料の評価又は探索は、以下の工程（Ｄ）〜（Ｆ）により行われる。
（Ｄ）ヒトの皮膚に試験試料を施与する工程
（Ｅ）前記試験試料施与の際に感じられるコクを評価する工程
（Ｆ）前記評価結果に基づき、コクを呈する試験試料を、生体内オキシトシンを上昇させる化粧料若しくはその原料として評価又は選択する工程
【００２６】
ここで、（Ｄ）のヒトの皮膚への試験試料の施与は、前記（Ａ）と同様である。
（Ｅ）のコクを評価は、被験者において、試験試料施与の際に感じられるコク感を、例えば＜１＞コクがない、＜２＞あまりコクがない、＜３＞どちらともいえない、＜４＞ややコクがある、＜５＞コクがある、のような基準で判定することが挙げられる。
前記評価結果に基づき、コクを呈すると認められた試験試料は、生体内オキシトシンを上昇させる化粧料若しくはその原料として評価又は選択できる（Ｆ）。
【００２７】
上述した実施形態に関し、本発明においては更に以下の態様が開示される。
＜１＞以下の工程（Ａ）〜（Ｃ）を含む、コクを呈する化粧料若しくはその原料の評価又は探索方法。
（Ａ）ヒトの皮膚に試験試料を施与する工程
（Ｂ）前記ヒトから採取された生体試料中のオキシトシン量を測定する工程
（Ｃ）前記オキシトシン量を基準値と比較し、オキシトシン量を増加させる試験試料を、コクを呈する化粧料若しくはその原料として評価又は選択する工程
＜２＞生体試料が血液、血清、血漿、尿又は唾液である＜１＞の方法。
＜３＞以下の工程（Ｄ）〜（Ｆ）を含む、生体内オキシトシンを上昇させる化粧料又はその原料の評価又は探索方法。
（Ｄ）ヒトの皮膚に試験試料を施与する工程
（Ｅ）前記試験試料施与の際に感じられるコクを評価する工程
（Ｆ）前記評価結果に基づき、コクを呈する試験試料を、生体内オキシトシンを上昇させる化粧料若しくはその原料として評価又は選択する工程
＜４＞化粧料が、クリーム、ローション、乳液及びエッセンスから選ばれる＜１＞〜＜３＞のいずれかの方法。
【実施例】
【００２８】
１．クリームの官能評価
（１）方法
１）クリームの作製
クリームＰ及びＱを作製した。クリームＰはクリームＱと比べて、高級アルコールやペースト油剤を多く配合することでコク感を生み出し、さらに粘剤の量を増やすことでよりコク感を増やしたものである。クリームＰ又はクリームＱのコク感は、以下に示す官能評価試験により確認した。
【００２９】
２）官能評価試験概要
３０−５４歳の女性３３名に、クリームＰ又はクリームＱを、両ほほ、鼻(鼻筋)、あごの５ヶ所に置き（約０．５ｇ）、指がすべらなくなるまで両手で顔全体になじませるよう求めた。
【００３０】
３）コク評価
各クリーム塗布後に、塗布中にコクがあったか評価を求めた。評価尺度は５段階のスコアとし（＜１＞当てはまらない、＜２＞あまり当てはまらない、＜３＞どちらともいえない、＜４＞やや当てはまる、＜５＞当てはまる）、各クリームのスコア評価値の平均値を求めた。
【００３１】
（２）結果
各クリームのコク評価値の平均値を求めた結果、クリームＱは２．８８、クリームＰは３．６１だった。このことから、クリームＰは塗布中のコクが高いクリームであることが明らかになった。なお、専門家による官能評価においても、クリームＰの方がコク感を呈することを確認した。
【００３２】
２．クリーム継続使用前後のオキシトシン変化解析
（１）方法
１）試験概要
２０−３０代の女性３５名を対象に、朝・夜の１日２回、洗顔後の日常のスキンケア後に、全顔へのクリームＰ又はＱの塗布(約０．５ ｇ)を４週間継続して頂いた。
【００３３】
２）唾液採取
クリームＰ又はＱ使用前と４週間継続使用後の唾液を採取した。４週間継続使用後の唾液は、最後の刺激から少なくとも２時間空けて採取した。口腔内を水で漱口後、全唾液を遠沈管に１０分間吐出を求めた。唾液は直ちにドライアイスで凍結し、−８０ ℃で保管した。
【００３４】
３）唾液中オキシトシン測定
全唾液の遠心分離後の上清（１．５〜３．０ｍＬ）と等量の０．１％（ｖ／ｖ）トリフルオロ酢酸（ＴＦＡ）水溶液を混和した。遠心分離（３，０００ｒｐｍ、３０ｍｉｎ）後の上清を、Ｓｅｐ−ｐａｋ  Ｃ１８カラム（２００ｍｇ、３ｃｃ、Ｗａｔｅｒｓ）に供し、下記のように抽出を行った。Ｃ１８カラムに１ｍＬの１００％アセトニトリル（ＡＣＮ）、次いで１０ｍＬの０．１％ＴＦＡ水溶液（ｖ／ｖ）を通し、その後で０．１％ＴＦＡ水溶液（ｖ／ｖ）と混和した全唾液（３．０〜６．０ｍＬ）を通し、１０ｍＬの０．１％ＴＦＡ水溶液（ｖ／ｖ）で洗浄した後、３ｍＬの（９５％ＡＣＮ／５％（０．１％ＴＦＡ水溶液））（ｖ／ｖ）で溶出させた。溶出した溶液のＡＣＮをＮ２ガスで揮発させ、残った水溶液を凍結乾燥に供し、凍結乾燥品をＯｘｙｔｏｃｉｎ  ＥＬＩＳＡ  ｋｉｔ（Ｅｎｚｏ）中の２５０μｌのＡｓｓａｙ  Ｂｕｆｆｅｒに溶解して、上記キットを用いて定量した。Ｂｉｏ−ｒａｄ  Ｐｒｏｔｅｉｎ  ａｓｓａｙ（ＢＩＯ−ＲＡＤ）で、ウシ血清アルブミンで作成した検量線を基に、抽出・濃縮前の唾液中のタンパク濃度（ｍｇ／ｍＬ）を定量し、単位タンパク量当たりのオキシトシン量を算出し、クリーム使用前の量を１００とした変化率を算出した。
【００３５】
（３）結果
クリームＰ又はＱ継続使用前後の唾液中のオキシトシン量の変化を検討した結果、図１に示すようにクリームＰ継続使用により有意な上昇が認められた。一方で、クリームＱでは有意な上昇は認められなかった。このことから、コクを呈するクリームＰを継続使用することにより、生体内のオキシトシンが上昇することが明らかになった。
【図１】
2020046212.tif 000002